(57)【特許請求の範囲】
【請求項１】
被体験者用の座席が設けられた内部屋と、該内部屋を包囲する外部屋と、を有し、該内部屋が駆動手段により振動するように構成した地震体験装置であって、
該内部屋を支持する支軸が内部屋の上部にその長手方向にわたって配設され、該支軸の一端部が地面に固定された架台に軸支され、該支軸の他端部に内部屋の壁面に固定されたシャフトが固定され、該シャフトに、該内部屋を上下振動させるための縦揺れ駆動手段の上端部が連結され、該駆動手段の下端部が該外部屋の床台に連結され、該内部屋を横方向へ振動させるための横揺れ駆動手段が外部屋と内部屋との間もしくは外部屋と該シャフトとの間に設けられている地震体験装置。
【請求項２】
前記シャフトは横部材を有し、該横部材の両端部に縦揺れ駆動手段としてエアーシリンダーが配設されている請求項１記載の地震体験装置。
【請求項３】
前記内部屋と外部屋との間にクッション手段が配設されている請求項１記載の地震体験装置。
【発明の詳細な説明】
【０００１】
【発明の属する技術分野】
本発明は、人工的に起こした地震を部屋内で体験できる地震体験装置に関し、詳しくは内部屋を上下、左右および傾斜させることによって、種々の震度の地震が体験できるようにした地震体験装置に関する。
【０００２】
【従来の技術】
従来の地震体験装置としては、単純な振動を体験できるものしかなく、またその震度も一定であり種々震度の地震を体験できるものはなかった。また、内部屋を振動させる手段として、その四隅部分をエアーシリンダーで支持し、エアーシリンダーの伸縮駆動により内部屋を上下振動させ、また横揺れ用のエアーシリンダーを設けて内部屋に横揺れを与える地震体験装置も考えられたが、この装置は内部屋をエアーシリンダーで支持しているため静止時にも微小な振動を生じて、実際の地震を体験できるというものではなく、しかも内部屋を容易に傾斜させることができないという欠点があった。
【０００３】
【発明が解決しようとする課題】
本発明は、上記欠点を解消するためになされたものであり、その目的とするところは、内部屋を上下方向、左右方向へ振動させることができ、さらに傾斜させることもできるので複雑な動きとなり、さらに乗る場所によって震度の強弱も体験ができて、複合的な振動を被体験者に与えることができる地震体験装置を提供することにある。本発明の他の目的は、静止時には室内の揺れを感じることがないので、実際の地震に近い体験をすることができる地震体験装置を提供することにある。
【０００４】
【課題を解決するための手段】
本発明の地震体験装置は、被体験者用の座席が設けられた内部屋と、該内部屋を包囲する外部屋と、を有し、該内部屋が駆動手段により振動するように構成した地震体験装置であって、
該内部屋を支持する支軸が内部屋の上部にその長手方向にわたって配設され、該支軸の一端部が地面に固定された架台に軸支され、該支軸の他端部に内部屋の壁面に固定されたシャフトが固定され、該シャフトに、該内部屋を上下振動させるための縦揺れ駆動手段の上端部が連結され、該駆動手段の下端部が該外部屋の床台に連結され、該内部屋を横方向へ振動させるための横揺れ駆動手段が外部屋と内部屋との間もしくは外部屋と該シャフトとの間に設けられており、そのことにより上記目的が達成される。
【０００５】
好ましい実施態様では、前記シャフトは横部材を有し、該横部材の両端部に縦揺れ駆動手段としてエアーシリンダーが配設されている。
【０００６】
好ましい実施態様態様では、前記内部屋と外部屋との間にクッション手段が配設されている。
【０００７】
【発明の実施の形態】
以下、図面を参照して本発明を詳細に説明する。
【０００８】
本発明の地震体験装置は、図１〜図４に示すように、被体験者用の座席が設けられた内部屋１と、該内部屋１を包囲する外部屋２と、を有し、該内部屋１が駆動手段により振動されるように構成されている。
【０００９】
該内部屋１を支持する支軸３が内部屋１の天井の上側にその長手方向にわたって配設され、該支軸３の一端部に固定されたシャフト４に、該内部屋１を上下振動させるための縦揺れ駆動手段５が連結され、該内部屋１を横方向へ往復移動させ得るための横揺れ駆動手段６が設けられている。
【００１０】
上記内部屋１は密閉空間に形成され、出入り口２１にドア８が設けられている。内部屋１の床面１ａには、座席１０が配設され、手摺り９が固定されている。その座席１０は、平面視でＵ字形に形成された第１の座席１０ａと、その第１の座席１０ａで囲まれた第２の座席１０ｂとを有する。第１および第２の座席１０ａ、１０ｂの間に手摺り９が配設されている。この内部屋１の内壁面には時計、音響装置が通常設けられる。
【００１１】
該内部屋１を包囲する外部屋２は、壁面のみを有する枠で構成してもよく、あるいは天井を有する部屋で構成してもよい。外部屋２の壁面の外側には、看板や絵画等を描いてもよい。この外部屋２によって、内部屋１が外側から隠され、内部屋１の振動等が外部から見られることがない。
【００１２】
内部屋１を支持する支軸３が内部屋１の天井部の上側において、その長手方向にわたって配設されている。該内部屋１のドア８側の壁面の外側には、地面に固定された架台１１が配設されている。この架台１１の上端部に上記支軸３の一端部が回動可能に軸支され、該支軸３の他端部が内部屋１の他端側の壁面の外側に固定されたシャフト４の上端部に軸支されている。上記固定側の軸受１２としては、例えばピロボールを使用することができる。内部屋１の他端側に固定されたシャフト４は、斜め部材１３および横部材１４を有している。
【００１３】
このような構成の内部屋１を駆動させる手段は、以下のように構成されている。上記シャフト４の横部材１４の下側において、横部材１４の両側にそれぞれ２本の上下駆動用のエアーシリンダー５，５が配設されている。該エアーシリンダー５の下端部は床台上に軸着され、エアーシリンダー５の上端部は横部材１４に軸着されている。また、横部材１４の両側には横押し駆動用のエアーシリンダー６、６がそれぞれ配設され、該エアーシリンダー６の基部は外部屋２の壁面に軸着され、エアーシリンダー６のロッド先端である駆動部は内部屋１もしくは横部材１４に軸着されている。
【００１４】
さらに、該横部材１４と外部屋２との間には、内部屋１の振動（上下、横揺れ、及び傾斜振動）を許容しながら、所定位置に内部屋１を保持するためのクッション手段１６が設けられてしる。このクッション手段１６としては、圧縮スプリングが内部に配設されたもので構成することができる。クッション手段１６の一端部は外部屋２の壁面に軸着され、他端部は横部材１４あるいは内部屋１に軸着されている。上記エアーシリンダーを駆動させるためのエアーコンプレッサー１７およびサブタンク１８が図２に示すように外部屋２内に配設され、これらはエアー供給管にて連結されている。
【００１５】
操作ボックス１９が内部に設けられた係員室２０が出入り口付近に配置され、係員がここで内部屋１の振動状態を制御および操作することができる。
【００１６】
次に、本発明に係る地震体験装置の作用を説明する。
【００１７】
外部屋２および内部屋１に設けられた出入り口２１，２２から、内部屋１内に被体験者が入ると、係り員は操作ボックス１９を操作して、内部屋１の振動を制御する制御盤に信号を送り、そのエアーコンプレッサー１７を駆動させ、および／またはエアー供給管のエアー弁を開閉操作して、上記横押し用エアーシリンダー６および／または上下駆動用エアーシリンダー５を伸縮駆動させる。すると、内部屋１の壁面に固定されたシャフト４はそれらのエアーシリンダー５，６によって押されて内部屋は上下および横方向へ移動する。ここで、エアーシリンダー５，６の操作によって、内部屋１に横方向の傾斜を与えたり、あるいは横揺れを生じさせ、また縦方向の傾斜を与えることができる。支軸３の一端部は架台１１の上部に軸支されているので、出入り口２１，２２側での内部屋１の振動の程度は内部屋１の奥側（エアーシリンダー側）に比べて小さく、被体験者は好みや年齢等に応じて振動の程度を選択することができる。
【００１８】
エアーシリンダー５，６の駆動を停止しているときは、上記したように内部屋１の一端側の上部が架台１１によって軸支され、内部屋１の他端側ではクッション手段１６によって保持されていることにより、内部屋１は安定に維持され、被体験者は揺れをそれほど感じることはない。
【００１９】
上記内部屋の振動と同時に、音響、視覚等によって被体験者に地震時の効果を大きくして与えるようにしてもよい。上記駆動手段は油圧で行ってもよく、あるいは電気モータ等によって駆動させるようにしてもよい。
【００２０】
【発明の効果】
本発明によれば、内部屋を駆動手段によって上下方向、左右方向へ移動させ、さらに傾斜させることもできるので、複合的な複雑な振動を被体験者に与えることができる。しかも、乗る場所によって震度の強弱の体験ができる。つまり、ドア側に乗る場合には、揺れが少なく、内部屋の奥側（エアーシリンダー側）に乗った場合には、激しく揺れることになる。さらに、内部屋が外部屋によって囲まれているので、内部屋の動作が見えることがなく、また外側から振動する内部屋に接触することもないので安全である。
【図面の簡単な説明】
【図１】本発明の地震体験装置の一実施例の分解斜視図である。
【図２】図１で示す地震体験装置の平面図である。
【図３】図１で示す地震体験装置の正面図である。
【図４】図１で示す地震体験装置の側面図である。
【符号の説明】
１  内部屋
２  外部屋
３  支軸
４  シャフト
５  縦揺れ駆動手段
６  横揺れ駆動手段
【図１】
0003881093.tif 000002
【図２】
0003881093.tif 000003
【図３】
0003881093.tif 000004
【図４】
0003881093.tif 000005